(57)【要約】【課題】スリップリングシステムを利用することなく、変化に富んだ発光態様で光演出を行うことができる遊技機の発光演出装置を提供すること。【解決手段】光源１が固定されたベース部２と、ベース部２の表面に配置された太陽歯車３と、太陽歯車３と噛み合う遊星歯車４と、太陽歯車３と遊星歯車４を連結する連結部材５と、連結部材５を駆動して、遊星歯車４を自転させつつ公転させる駆動手段６を備え、前記遊星歯車には、光表示部を形成し、ベース部２には、太陽歯車３の回転中心軸部９を貫通する貫通孔１０を形成し、連結部材５を、貫通孔１０を貫通させて配置するとともに、連結部材５の内部に、光源１からの光を前記光表示部に導く導く導光路１１を形成した。【選択図】図２
2014140395.tif 000002
【特許請求の範囲】
【請求項１】
光源が固定されたベース部と、
前記ベース部の表面に配置された太陽歯車と、
前記太陽歯車と噛み合う遊星歯車と、
前記太陽歯車と遊星歯車を連結する連結部材と、
前記連結部材を駆動して、前記遊星歯車を自転させつつ公転させる駆動手段を備え、
前記遊星歯車には、光表示部を形成し、
前記ベース部には、前記太陽歯車の回転中心軸部を貫通する貫通孔を形成し、
前記連結部材を、前記貫通孔を貫通させて配置するとともに、
前記連結部材の内部に、前記光源からの光を前記光表示部に導く導光路を形成したことを特徴とする遊技機の発光演出装置。
【請求項２】
前記遊星歯車を、前記ベース部の表面側で、前記連結部材に保持させ、
前記導光路を介して導かれた光を、更に、外部に導く第二導光路を、該遊星歯車の回転中心軸部を貫通するように形成したことを特徴とする請求項１記載の遊技機の発光演出装置。
【請求項３】
前記第二導光路が、可撓性の導光部材からなることを特徴とする請求項２記載の遊技機の発光演出装置。
【請求項４】
前記連結部材が、前記貫通孔を貫通して配置される第一軸部と、第二導光路と嵌合する第二軸部を有することを特徴とする請求項２記載の遊技機の発光演出装置。
【請求項５】
前記第一軸部内に、光源からの光を屈折させる第一反射面を備え、
該第一反射面で屈折させた光を、更に屈折させて外部に導く第二反射面を、前記遊星歯車の先端に連結した円筒状部材の外側面に螺旋状に形成したことを特徴とする請求項４記載の遊技機の発光演出装置。
【請求項６】
前記光源がＬＥＤであることを特徴とする請求項１〜５の何れかに記載の遊技機の発光演出装置。
【請求項７】
前記太陽歯車と遊星歯車を、各々の回転中心軸が交差するように配置したことを特徴とする請求項１〜６の何れかに記載の遊技機の発光演出装置。
【発明の詳細な説明】
【技術分野】
【０００１】
本発明は、遊技機の発光演出装置、具体的には、発光しながら回転する遊技機用演出装置に関するものである。
【背景技術】
【０００２】
パチンコ機では、遊技盤上に、発光しながら回転する遊技機用役物を配設して、その回転によって発光態様を様々に変化させながら遊技者の関心をさそう手法が、広く採用されている（例えば、特許文献１）。
【０００３】
しかし、特許文献１等に記載の従来技術は、スリップリングシステムを利用して光源自体を回転させて、発光態様を変化させるものであり、スリップリングシステムの利用によりコストが嵩む問題や、スリップリングの接点でノイズが発生する問題、更には、スリップリングの接点寿命が短く不都合であるという問題があった。
【０００４】
また、光源自体を回転させる従来技術では、発光態様の変化が単調となる欠点もあった。
【先行技術文献】
【特許文献】
【０００５】
【特許文献１】特開２００５−２２４４３６号公報
【発明の概要】
【発明が解決しようとする課題】
【０００６】
本発明の目的は前記問題を解決し、スリップリングシステムを利用することなく、変化に富んだ発光態様で光演出を行うことができる遊技機の発光演出装置を提供することである。
【課題を解決するための手段】
【０００７】
上記課題を解決するためになされた本発明の遊技機の発光演出装置は、光源が固定されたベース部と、前記ベース部の表面に配置された太陽歯車と、前記太陽歯車と噛み合う遊星歯車と、前記太陽歯車と遊星歯車を連結する連結部材と、前記連結部材を駆動して、前記遊星歯車を自転させつつ公転させる駆動手段を備え、前記遊星歯車には、光表示部を形成し、前記ベース部には、前記太陽歯車の回転中心軸部を貫通する貫通孔を形成し、前記連結部材を、前記貫通孔を貫通させて配置するとともに、前記連結部材の内部に、前記光源からの光を前記光表示部に導く導光路を形成したことを特徴とするものである。
【０００８】
請求項２記載の発明は、請求項１記載の遊技機の発光演出装置において、前記遊星歯車を、前記ベース部の表面側で、前記連結部材に保持させ、前記導光路を介して導かれた光を、更に、外部に導く第二導光路を、該遊星歯車の回転中心軸部を貫通するように形成したことを特徴とするものである。
【０００９】
請求項３記載の発明は、請求項２記載の遊技機の発光演出装置において、前記第二導光路が、可撓性の導光部材からなることを特徴とするものである。
【００１０】
請求項４記載の発明は、請求項２記載の遊技機の発光演出装置において、前記連結部材が、前記貫通孔を貫通して配置される第一軸部と、第二導光路と嵌合する第二軸部を有することを特徴とするものである。
【００１１】
請求項５記載の発明は、請求項４記載の遊技機の発光演出装置において、前記第一軸部内に、光源からの光を屈折させる第一反射面を備え、該第一反射面で屈折させた光を、更に屈折させて外部に導く第二反射面を、前記遊星歯車の先端に連結した円筒状部材の外側面に螺旋状に形成したことを特徴とするものである。
【００１２】
請求項６記載の発明は、請求項１〜５の何れかに記載の遊技機の発光演出装置において、前記光源がＬＥＤであることを特徴とするものである。
【００１３】
請求項７記載の発明は、請求項１〜６の何れかに記載の遊技機の発光演出装置において、前記太陽歯車と遊星歯車を、各々の回転中心軸が交差するように配置したことを特徴とするものである。
【発明の効果】
【００１４】
従来の発光演出装置では、スリップリングシステムを利用して光源自体を回転させて、発光態様を変化させており、スリップリングシステムの利用に起因する各種問題（コスト、ノイズ、寿命）があったところ、本発明によれば、発光演出装置を、光源が固定されたベース部と、前記ベース部の表面に配置された太陽歯車と、前記太陽歯車と噛み合う遊星歯車と、前記太陽歯車と遊星歯車を連結する連結部材と、前記連結部材を駆動して、前記遊星歯車を自転させつつ公転させる駆動手段から構成し、前記遊星歯車には、光表示部を形成し、前記ベース部には、前記太陽歯車の回転中心軸部を貫通する貫通孔を形成し、前記連結部材を、前記貫通孔を貫通させて配置するとともに、前記連結部材の内部に、前記光源からの光を前記光表示部に導く導光路を形成することにより、スリップリングシステムを不要とし、前記の各種問題を解消することができる。
【００１５】
また、遊星歯車が自転しつつ、太陽歯車を中心として公転する遊星歯車機構を利用した本発明によれば、自転や公転の速度やパターンを様々に変更させることができるため、光源自体を回転させる従来技術に比べて、より変化に富んだ発光態様で光演出を行うことができる。
【図面の簡単な説明】
【００１６】
【図１】実施形態１の発光演出装置の全体斜視図である。
【図２】実施形態１の発光演出装置の垂直断面図である。
【図３】実施形態１の発光演出装置の分解説明図である。
【図４】実施形態１の発光演出装置が創出する光の軌跡の一例を示す図である。
【図５】実施形態２の発光演出装置の全体斜視図である。
【図６】実施形態２の発光演出装置の垂直断面図である。
【図７】実施形態２の発光演出装置の分解説明図である。
【図８】他の実施形態の発光演出装置の垂直断面図である。
【発明を実施するための形態】
【００１７】
以下に本発明の好ましい実施形態を示す。本発明の発光演出装置は、発光しながら回転する遊技機用役物として、パチンコ機の遊技盤上に配設される。
【００１８】
（実施形態１）
本実施形態の発光演出装置は、図１〜図３に示すように、光源１を裏面に固定したベース部２と、ベース部２の表面に一体形成された太陽歯車３と、太陽歯車３と噛み合う遊星歯車４と、太陽歯車３と遊星歯車４を連結する連結部材５と、連結部材５を駆動して、遊星歯車４を自転させつつ公転させる駆動手段６を備えている。連結部材５は、連結部材回転用歯車７を介して駆動される。
【００１９】
遊星歯車４は、連結部材５に形成した遊星歯車保持部８に保持され、ベース部２の表面側に配置されている。
【００２０】
ベース部２には、太陽歯車３の回転中心軸部９を貫通する貫通孔１０を形成し、貫通孔１０内に連結部材５を貫通させて配置している。
【００２１】
連結部材５の内部には、光源１からの光を導く導光路１１を形成している。更に、この導光路１１を介して導かれた光を、外部から視認される光表示部に導く第二導光路１２を、遊星歯車４の回転中心軸部１３を貫通するように形成している。本実施形態では、可撓性の導光部材を遊星歯車４の回転中心軸部１３を貫通するように配置して、第二導光路１２としている。本実施形態では、第二導光路１２と遊星歯車４と一体に成形し、遊星歯車４から延設させた先端部分が、ベース部２の上面と略平行となるように屈曲させている。
【００２２】
駆動手段６を駆動して、連結部材回転用歯車７を介して連結部材５が回転すると、連結部材５の遊星歯車保持部８に保持された遊星歯車４が回転し、遊星歯車４の回転に伴い、第二導光路１２を構成する可撓性の導光部材が、回転中心軸部１３を回転中心として回転する。第二導光路12の先端は、回転中心軸13と一致していないので、平面的ではなく立体的な動きを行う。さらに、第二導光路12を可撓性部材で構成することにより、遊星歯車4の回転速度に応じて、遠心力に起因する撓み量を変化させ、第二導光路12の先端面が描く軌跡を、より立体的なものとすることができる。
【００２３】
また、本実施形態では、太陽歯車３と遊星歯車４を、各々の回転中心軸が交差するように配置しているため、駆動手段６により連結部材５を駆動して、遊星歯車４を自転させつつ公転させると、第二導光路１２の先端から放出される光は、図４に示すように、立体的な軌跡を描き、その残存効果により、遊技盤上の空間に、参考写真に示すような光の模様を描き出すことができる。光の軌跡は、太陽歯車３と遊星歯車４のギア比や、第二導光路１２の長さ、その他、第二導光路１２の先端部分の屈曲角度や、回転中心軸部９、１３の傾斜角度を変更することで、様々に変化させることができる。
【００２４】
なお、本実施形態では、光源１として３色ＬＥＤを使用して、より変化に富んだ光演出を実現している。
【００２５】
更に、本実施形態では、太陽歯車３をベース部２の表面に一体形成しているが、太陽歯車３とベース部を別体として構成し、各々を別制御することにより、より変化に富んだ光演出を実現することもできる。
【００２６】
（実施形態２）
本実施形態の発光演出装置も、図５〜図７に示すように、光源１を裏面に固定したベース部２と、ベース部２の表面に一体形成された太陽歯車３と、太陽歯車３と噛み合う遊星歯車４と、太陽歯車３と遊星歯車４を連結する連結部材５と、連結部材５を駆動して、遊星歯車４を自転させつつ公転させる駆動手段６を備えている。連結部材５は、連結部材回転用歯車７を介して駆動される。
【００２７】
ベース部２には、太陽歯車３の回転中心軸部９を貫通する貫通孔１０を形成し、貫通孔１０内に連結部材５を貫通させて配置している。
【００２８】
連結部材５の内部には、光源１からの光を導く導光路１１を形成している。更に、この導光路１１を介して導かれた光を、外部に導く第二導光路１２を、遊星歯車４の回転中心軸部１３を貫通するように形成している。
【００２９】
本実施形態の連結部材は、貫通孔１０を貫通して配置される第一軸部１５と、第二導光路１２と嵌合する第二軸部１５を有している。
【００３０】
他の実施形態として、図８に示すように、第一軸部１４内に、光源からの光を屈折させる第一反射面１６を備え、第一反射面１６で屈折させた光を、更に屈折させて外部に導く第二反射面１７を、遊星歯車４の先端に連結した円筒状部材１８の外側面に螺旋状に形成することもできる。
【符号の説明】
【００３１】
１  光源
２  ベース部
３  太陽歯車
４  遊星歯車
５  連結部材
６  駆動手段
７  連結部材回転用歯車
８  遊星歯車保持部
９  回転中心軸部
１０  貫通孔
１１  導光路
１２  第二導光路
１３  回転中心軸部
１４  第一軸部
１５  第二軸部
１６  第一反射面
１７  第二反射面
１８  円筒状部材
【図１】
2014140395.tif 000003
【図５】
2014140395.tif 000004
【図６】
2014140395.tif 000005
【図２】
2014140395.tif 000006
【図３】
2014140395.tif 000007
【図４】
2014140395.tif 000008
【図７】
2014140395.tif 000009
【図８】
2014140395.tif 000010